(57)【要約】      （修正有）【課題】基準血圧に対する血圧の変化量ΔＰの絶対値が小さい場合に変化量ΔＰの算出精度が低下し難い血圧推定装置を提供する。【解決手段】血圧推定装置１は、生体信号取得ユニット９と、第１血圧推定ユニット１１と、第１変化量算出ユニットと１５、補正ユニット１７と、第２血圧推定ユニット１９とを備える。第１血圧推定ユニットは第１血圧を推定する。第１変化量算出ユニットは第１変化量を算出する。補正ユニットは第２変化量を算出する。第２血圧推定ユニットは第２血圧を推定する。第１変化量と第２変化量との関係は、条件（ａ）〜（ｃ）を充足する。（ａ）第２変化量の絶対値は、第１変化量の絶対値よりも、ΔＰＣだけ大きい。（ｂ）第１変化量の絶対値が増加する場合、ΔＰＣは一定であるか、増加する。（ｃ）少なくとも一部の区間においては、第１変化量の絶対値が増加するほど、ΔＰＣは増加する。【選択図】図２
2019118700.tif 000002
【特許請求の範囲】
【請求項１】
血圧推定装置であって、
生体信号を取得する生体信号取得ユニットと、
前記生体信号を用いて第１血圧を推定する第１血圧推定ユニットと、
基準血圧に対する前記第１血圧の変化量である第１変化量を算出する第１変化量算出ユニットと、
前記第１変化量を補正して第２変化量を算出する補正ユニットと、
前記第２変化量と、前記基準血圧とを加算して第２血圧を推定する第２血圧推定ユニットと、
を備え、
前記補正ユニットは、前記第１変化量と、前記第２変化量との関係が、以下の条件（ａ）〜（ｃ）を充足する補正を行うように構成された血圧推定装置。
（ａ）前記第２変化量の絶対値は、前記第１変化量の絶対値よりも、ΔＰＣだけ大きい。  
（ｂ）前記第１変化量の絶対値が増加する場合、前記ΔＰＣは一定であるか、増加する。
（ｃ）前記第１変化量の少なくとも一部の区間においては、前記第１変化量の絶対値が増加するほど、前記ΔＰＣは増加する。
【請求項２】
請求項１に記載の血圧推定装置であって、
前記補正ユニットは、前記第１変化量に対し、１以上の値である係数を乗算する補正を行い、前記第２変化量を算出するように構成され、
前記係数は、前記第１変化量の絶対値に対し、非減少の関係にある血圧推定装置。
【請求項３】
請求項１に記載の血圧推定装置であって、
前記補正ユニットは、前記第１変化量に対し、加算値を加算する補正を行い、前記第２変化量を算出するように構成され、
前記加算値の絶対値は、前記第１変化量の絶対値に対し、非減少の関係にある血圧推定装置。
【請求項４】
請求項１〜３のいずれか１項に記載の血圧推定装置であって、
前記ΔＰｃは、前記第１変化量の絶対値が、予め設定された上限値以上である場合、固定値である血圧推定装置。
【請求項５】
請求項１〜４のいずれか１項に記載の血圧推定装置であって、
前記ΔＰｃは、前記第１変化量の絶対値が、予め設定された下限値以下である場合、固定値である血圧推定装置。
【発明の詳細な説明】
【技術分野】
【０００１】
本開示は血圧推定装置に関する。
【背景技術】
【０００２】
従来、脈波信号等の生体信号を用いて血圧を推定する血圧推定装置が知られている。この血圧推定装置は、例えば、以下のようにして血圧を推定する。まず、生体信号を用いて、基準血圧に対する血圧の変化量ΔＰを算出する。次に、変化量ΔＰと、基準血圧とを加算して血圧を推定する（特許文献１参照）。
【先行技術文献】
【特許文献】
【０００３】
【特許文献１】特開２０００−１５７４９９号公報
【発明の概要】
【発明が解決しようとする課題】
【０００４】
上記のように算出した変化量ΔＰの絶対値は、一般的に、実際の変化量の絶対値より小さい。実際の変化量とは、基準血圧に対する、現時点の血圧の実際の変化量である。また、上記のように算出した変化量ΔＰは、統計的にばらつきを有する。
【０００５】
変化量ΔＰを実際の変化量に近づけるために、変化量ΔＰの絶対値を増加させる補正を行うことが考えられる。しかしながら、補正によって一律に変化量ΔＰの絶対値を増加させると、補正後の変化量ΔＰにおけるばらつきも増加する。そのため、変化量ΔＰの算出精度が低下してしまう。特に、変化量ΔＰの絶対値が小さい場合、ばらつきによる影響が大きくなる。
【０００６】
本開示の一局面は、変化量ΔＰを実際の変化量に近づけることができるとともに、変化量ΔＰの絶対値が小さい場合に変化量ΔＰの算出精度が低下し難い血圧推定装置を提供することを目的とする。
【課題を解決するための手段】
【０００７】
本開示の一局面は、血圧推定装置であって、生体信号を取得する生体信号取得ユニットと、前記生体信号を用いて第１血圧を推定する第１血圧推定ユニットと、基準血圧に対する前記第１血圧の変化量である第１変化量を算出する第１変化量算出ユニットと、前記第１変化量を補正して第２変化量を算出する補正ユニットと、前記第２変化量と、前記基準血圧とを加算して第２血圧を推定する第２血圧推定ユニットと、を備え、前記補正ユニットは、前記第１変化量と、前記第２変化量との関係が、以下の条件（ａ）〜（ｃ）を充足する補正を行うように構成された血圧推定装置である。
【０００８】
（ａ）前記第２変化量の絶対値は、前記第１変化量の絶対値よりも、ΔＰＣだけ大きい。  
（ｂ）前記第１変化量の絶対値が増加する場合、前記ΔＰＣは一定であるか、増加する。
（ｃ）前記第１変化量の少なくとも一部の区間においては、前記第１変化量の絶対値が増加するほど、前記ΔＰＣは増加する。
【０００９】
本開示の一局面である血圧推定装置は、第１変化量を補正して第２変化量を算出する。第２変化量の絶対値は、第１変化量の絶対値よりも、ΔＰＣだけ大きい。そのため、第２変化量を、第１変化量に比べて、実際の変化量に近づけることができる。
【００１０】
また、本開示の一局面である血圧推定装置において、第１変化量の絶対値が増加する場合、ΔＰＣは一定であるか、増加する。第１変化量の少なくとも一部の区間においては、第１変化量の絶対値が増加するほど、ΔＰＣは増加する。
【００１１】
そのため、第１変化量の絶対値が小さい場合、ΔＰＣが小さいので、第１変化量のばらつきに起因する第２変化量のばらつきを抑制できる。その結果、第１変化量の絶対値が小さい場合、第２変化量の算出精度が低下し難い。
【図面の簡単な説明】
【００１２】
【図１】血圧推定装置１の構成を表すブロック図である。
【図２】血圧推定装置１の機能的構成を表すブロック図である。
【図３】血圧推定装置１が実行する校正処理を表すフローチャートである。
【図４】血圧推定装置１が実行する血圧推定処理を表すフローチャートである。
【図５】第１変化量ΔＰａと係数αとの関係を表すグラフである。
【図６】第１変化量ΔＰａとΔＰｃとの関係を表すグラフである。
【図７】血圧推定装置１が実行する血圧推定処理を表すフローチャートである。
【図８】第１変化量ΔＰａと加算値βとの関係を表すグラフである。
【図９】第１変化量ΔＰａとΔＰｃとの関係を表すグラフである。
【図１０】図１０Ａ及び図１０Ｂは、それぞれ、第１変化量ΔＰａと係数αとの関係の別形態を表すグラフである。
【図１１】図１１Ａ及び図１１Ｂは、それぞれ、第１変化量ΔＰａと加算値βとの関係の別形態を表すグラフである。
【発明を実施するための形態】
【００１３】
本開示の例示的な実施形態を、図面を参照しながら説明する。
＜第１実施形態＞
１．血圧推定装置１の構成
血圧推定装置１の構成を図１、図２に基づき説明する。図１に示すように、血圧推定装置１は、ＣＰＵ３と、例えば、ＲＡＭ又はＲＯＭ等の半導体メモリ（以下、メモリ５とする）と、を有するマイクロコンピュータを備える。血圧推定装置１の各機能は、ＣＰＵ３が非遷移的実体的記録媒体に格納されたプログラムを実行することにより実現される。この例では、メモリ５が、プログラムを格納した非遷移的実体的記録媒体に該当する。また、このプログラムが実行されることで、プログラムに対応する方法が実行される。なお、血圧推定装置１は、１つのマイクロコンピュータを備えてもよいし、複数のマイクロコンピュータを備えてもよい。
【００１４】
血圧推定装置１は、図２に示すように、カフ測定ユニット７と、生体信号取得ユニット９と、第１血圧推定ユニット１１と、校正ユニット１３と、第１変化量算出ユニット１５と、補正ユニット１７と、第２血圧推定ユニット１９と、表示ユニット２１と、を備える。  
血圧推定装置１に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１５】
図１に示すように、血圧推定装置１は、カフ測定装置２３と、脈波センサ２５と、記憶装置２７と、ディスプレイ２９と、それぞれ接続している。
カフ測定装置２３は、カフを用いて被験者の血圧を測定する周知の装置である。カフ測定装置２３は、カフ、加圧制御機構等を備える。
【００１６】
脈波センサ２５は、周知の発光素子及び受光素子を備えた光学式のセンサである。発光素子として、例えばＬＥＤが挙げられる。受光素子として、例えばＰＤが挙げられる。脈波センサ２５は、発光素子を用いて被験者の指先に光を照射し、その反射光を受光素子で受光する。脈波センサ２５は、被験者の脈波に起因する反射光の経時的な変動に基づき、脈波を検出し、その脈波を表す信号（以下では脈波信号とする）を血圧推定装置１に出力する。
【００１７】
記憶装置２７は各種の情報を記憶することができる。ディスプレイ２９は、画像を表示することができる。
２．血圧推定装置１が実行する校正処理
血圧推定装置１が実行する校正処理を、図３に基づき説明する。この処理は、例えば、ユーザの指示に応じて実行される。図３のステップ１では、カフ測定ユニット７が、カフ測定装置２３を用いて、被験者の血圧を測定する。このとき、カフは被験者の上腕に巻かれる。血圧の測定方法は、例えば、オシロメトリック法である。本ステップ１で測定した血圧を、以下では基準血圧ＰＳとする。
【００１８】
ステップ２では、生体信号取得ユニット９が、脈波センサ２５を用いて、被験者の脈波信号を取得する。脈波信号は生体信号に対応する。本ステップ２で脈波信号を取得する対象である被験者は、前記ステップ１で基準血圧ＰＳを推定した被験者である。生体信号取得ユニット９は、脈波センサ２５が出力する信号に対し、Ａ／Ｄ変換、増幅、信号処理等を行う。
【００１９】
ステップ３では、第１血圧推定ユニット１１が、前記ステップ２で取得した脈波信号を用いて、周知の方法で被験者の血圧を推定する。以下では、この血圧をＰ０とする。
ステップ４では、校正ユニット１３が、前記ステップ３で推定した血圧Ｐ０から、前記ステップ１で測定した基準血圧ＰＳを差し引いた値を算出する。この値を、以下では校正値ＶＣとする。
【００２０】
ステップ５では、校正ユニット１３が、前記ステップ１で測定した基準血圧ＰＳと、前記ステップ４で算出した校正値ＶＣとを記憶装置２７に記憶する。
３．血圧推定装置１が実行する血圧推定処理
血圧推定装置１が実行する血圧推定処理を、図４〜図６に基づき説明する。この処理は、例えば、ユーザの指示に応じて実行される。図４のステップ１１では、生体信号取得ユニット９が、脈波センサ２５を用いて、被験者の脈波信号を取得する。脈波信号は生体信号に対応する。
【００２１】
ステップ１２では、第１血圧推定ユニット１１が、前記ステップ１１で取得した脈波信号を用いて、周知の方法で被験者の血圧Ｐ０を推定する。
ステップ１３では、校正ユニット１３が、校正値ＶＣを記憶装置２７から読み出す。次に、校正ユニット１３は、読み出した校正値ＶＣを、前記ステップ１２で推定したＰ０に加え、第１血圧Ｐ１を推定する。
【００２２】
ステップ１４では、第１変化量算出ユニット１５が、記憶装置２７から基準血圧ＰＳを読み出す。第１変化量算出ユニット１５は、前記ステップ１３で推定した第１血圧Ｐ１から、基準血圧ＰＳを差し引いて、第１変化量ΔＰａを算出する。第１変化量ΔＰａは、基準血圧Ｐ０に対する第１血圧Ｐ１の変化量である。
【００２３】
ステップ１５では、補正ユニット１７が、前記ステップ１４で算出した第１変化量ΔＰａに基づき、係数αを決定する。血圧推定装置１は、第１変化量ΔＰａと、係数αとの関係を規定するマップをメモリ５に予め記憶している。補正ユニット１７は、前記ステップ１４で算出した第１変化量ΔＰａをマップに当てはめて、係数αを決定する。
【００２４】
マップに規定された第１変化量ΔＰａと、係数αとの関係は図５に示す関係である。係数αは１以上の値である。図５に示す関係において、第１変化量ΔＰａの絶対値が増加する場合、係数αは一定であるか、増加する。第１変化量ΔＰａの絶対値が０以上Ｘ１以下の区間にある場合、係数αは１である。Ｘ１は０より大きい値である。第１変化量ΔＰａの絶対値がＸ１以上Ｘ２以下の区間にある場合、第１変化量ΔＰａの絶対値が増加するほど、係数αは増加する。Ｘ２はＸ１より大きい値である。第１変化量ΔＰａの絶対値がＸ２以上である場合、係数αはαｍａｘである。αｍａｘは１より大きい固定値である。
【００２５】
図４に戻り、ステップ１６では、補正ユニット１７が、前記ステップ１４で算出した第１変化量ΔＰａに対し、前記ステップ１５で決定した係数αを乗算し、第２変化量ΔＰｂを算出する。  
なお、第２変化量ΔＰｂの絶対値から、第１変化量ΔＰａの絶対値を差し引いた値をΔＰｃとする。第２変化量ΔＰｂの絶対値は、第１変化量ΔＰａの絶対値よりも、ΔＰＣだけ大きい。
【００２６】
ΔＰｃは、（α―１）ΔＰａである。第１変化量ΔＰａとΔＰｃとの関係を図６に示す。図６に示す関係において、第１変化量ΔＰａの絶対値が増加する場合、ΔＰＣは一定であるか、増加する。第１変化量ΔＰａの絶対値がＸ１以上の区間では、第１変化量ΔＰａの絶対値が増加するほど、ΔＰＣは増加する。
【００２７】
図４に戻り、ステップ１７では、第２血圧推定ユニット１９が、前記ステップ１６で算出した第２変化量ΔＰｂと、基準血圧ＰＳとを加算して第２血圧Ｐ２を推定する。
ステップ１８では、表示ユニット２１が、前記ステップ１７で推定した第２血圧Ｐ２をディスプレイ２９に表示する。
【００２８】
４．血圧推定装置１が奏する効果
（１Ａ）血圧推定装置１は、第１変化量ΔＰａを補正して第２変化量ΔＰｂを算出する。第２変化量ΔＰｂの絶対値は、第１変化量ΔＰａの絶対値よりも、ΔＰＣだけ大きい。そのため、第２変化量ΔＰｂを、第１変化量ΔＰａに比べて、実際の変化量に近づけることができる。
【００２９】
また、第１変化量ΔＰａの絶対値が増加する場合、ΔＰＣは一定であるか、増加する。第１変化量ΔＰａの少なくとも一部の区間においては、第１変化量ΔＰａの絶対値が増加するほど、ΔＰＣは増加する。
【００３０】
そのため、第１変化量ΔＰａの絶対値が小さい場合、ΔＰＣが小さいので、第１変化量ΔＰａのばらつきに起因する第２変化量ΔＰｂのばらつきを抑制できる。その結果、第１変化量ΔＰａの絶対値が小さい場合、第２変化量ΔＰｂの算出精度が低下し難い。
【００３１】
（１Ｂ）血圧推定装置１は、第１変化量ΔＰａに対し、１以上の値である係数αを乗算する補正を行い、第２変化量ΔＰｂを算出する。係数αは、第１変化量ΔＰａの絶対値に対し、非減少の関係にある。非減少の関係とは、第１変化量ΔＰａの絶対値が増加する場合、係数αは一定であるか、増加するという関係である。血圧推定装置１は、第２変化量ΔＰｂを容易に算出することができる。
【００３２】
（１Ｃ）ΔＰｃは、第１変化量ΔＰａの絶対値が、Ｘ１以下である場合、固定値である。Ｘ１は下限値に対応する。そのため、第１変化量ΔＰａの絶対値がＸ１以下である場合、ΔＰＣが小さいので、第１変化量のΔＰａばらつきに起因する第２変化量ΔＰｂのばらつきを一層抑制できる。
＜第２実施形態＞
１．第１実施形態との相違点
第２実施形態は、基本的な構成は第１実施形態と同様であるため、相違点について以下に説明する。なお、第１実施形態と同じ符号は、同一の構成を示すものであって、先行する説明を参照する。
【００３３】
前述した第１実施形態では、係数αを決定し、決定した係数αを第１変化量ΔＰａに対し乗算して、第２変化量ΔＰｂを算出する。これに対し、第２実施形態では、加算値βを決定し、決定した加算値βを第１変化量ΔＰａに対し加算して、第２変化量ΔＰｂを算出する。詳しくは後述する。
【００３４】
２．血圧推定装置１が実行する血圧推定処理
第２実施形態の血圧推定装置１が、第１実施形態の血圧推定処理（図４）に代えて実行する血圧推定処理について、図７〜図９を用いて説明する。
【００３５】
図７のステップ２１〜２４の処理は、第１実施形態におけるステップ１１〜１４の処理と同様である。
ステップ２５では、補正ユニット１７が、前記ステップ２４で算出した第１変化量ΔＰａに基づき、加算値βを決定する。血圧推定装置１は、第１変化量ΔＰａと、加算値βとの関係を規定するマップをメモリ５に予め記憶している。補正ユニット１７は、前記ステップ２４で算出した第１変化量ΔＰａをマップに当てはめて、加算値βを決定する。
【００３６】
マップで規定する第１変化量ΔＰａと、加算値βとの関係は図８に示す関係である。第１変化量ΔＰａの絶対値が増加する場合、加算値βの絶対値は一定であるか、増加する。第１変化量ΔＰａが正の値である場合、βも正の値である。第１変化量ΔＰａが負の値である場合、βも負の値である。
【００３７】
第１変化量ΔＰａの絶対値が０以上Ｙ１以下の区間にある場合、加算値βは０である。Ｙ１は０より大きい値である。第１変化量ΔＰａの絶対値がＹ１以上Ｙ２以下の区間にある場合、第１変化量ΔＰａの絶対値が増加するほど、加算値βの絶対値は増加する。Ｙ２はＹ１より大きい値である。第１変化量ΔＰａの絶対値がＹ２以上である場合、加算値βの絶対値はβｍａｘである。βｍａｘは０より大きい固定値である。
【００３８】
図７に戻り、ステップ２６では、補正ユニット１７が、前記ステップ２４で算出した第１変化量ΔＰａに対し、前記ステップ２５で決定した加算値βを加算し、第２変化量ΔＰｂを算出する。  
なお、ΔＰｃの定義は第１実施形態と同様である。第２変化量ΔＰｂの絶対値は、第１変化量ΔＰａの絶対値よりも、ΔＰＣだけ大きい。
【００３９】
ΔＰｃは、βの絶対値である。第１変化量ΔＰａとΔＰｃとの関係を図９に示す。図９に示す関係において、第１変化量ΔＰａの絶対値が増加する場合、ΔＰＣは一定であるか、増加する。第１変化量ΔＰａの絶対値がＹ１以上Ｙ２以下の区間では、第１変化量ΔＰａの絶対値が増加するほど、ΔＰＣは増加する。
【００４０】
図７に戻り、ステップ２７では、第２血圧推定ユニット１９が、前記ステップ２６で算出した第２変化量ΔＰｂと、基準血圧ＰＳとを加算して第２血圧Ｐ２を推定する。
ステップ２８では、表示ユニット２１が、前記ステップ２７で推定した第２血圧Ｐ２をディスプレイ２９に表示する。
【００４１】
３．血圧推定装置１が奏する効果
以上詳述した第２実施形態によれば、前述した第１実施形態の効果（１Ａ）を奏し、さらに、以下の効果を奏する。
【００４２】
（２Ａ）血圧推定装置１は、第１変化量ΔＰａに対し、加算値βを加算する補正を行い、第２変化量ΔＰｂを算出する。加算値βの絶対値は、第１変化量ΔＰａの絶対値に対し、非減少の関係にある。非減少の関係とは、第１変化量ΔＰａの絶対値が増加する場合、加算値βの絶対値は一定であるか、増加するという関係である。
【００４３】
第１変化量ΔＰａがアーティファクト等に起因する誤差を有することがある。その場合でも、補正の方法が、上述したように、加算値βを加算する方法であれば、第２変化量ΔＰｂにおける誤差を抑制できる。
【００４４】
（２Ｂ）ΔＰｃは、第１変化量ΔＰａの絶対値が、Ｙ１以下である場合、固定値である。Ｙ１は下限値に対応する。そのため、第１変化量ΔＰａの絶対値がＹ１以下である場合、ΔＰＣが小さいので、第１変化量のΔＰａばらつきに起因する第２変化量ΔＰｂのばらつきを一層抑制できる。
【００４５】
（２Ｃ）ΔＰｃは、第１変化量ΔＰａの絶対値がＹ２以上である場合、固定値である。Ｙ２は上限値に対応する。そのため、第２変化量ΔＰｂが過度に大きくなることを抑制できる。その結果、第２変化量ΔＰｂのばらつきを一層抑制できる。
＜他の実施形態＞
以上、本開示の実施形態について説明したが、本開示は上述の実施形態に限定されることなく、種々変形して実施することができる。
【００４６】
（１）第１実施形態において、第１変化量ΔＰａと係数αとの関係を規定する関数を、作成又は修正してもよい。例えば、上述した方法で１回目の校正処理を行い、基準血圧Ｐｓを決定する。次に、第１変化量ΔＰａがＸ２よりも大きくなる条件で、血圧測定処理を行い、第１変化量ΔＰａを算出する。また、この血圧測定処理と同時に、カフ測定も行う。次に、（Ｐｓ+αΔＰａ）の値が、カフ測定の測定値と一致するように、第１変化量ΔＰａがＸ２よりも大きいときの係数αの値を決定する。
【００４７】
また、第２実施形態において、第１変化量ΔＰａと加算値βとの関係を規定する関数を、作成又は修正してもよい。例えば、上述した方法で１回目の校正処理を行い、基準血圧Ｐｓを決定する。次に、第１変化量ΔＰａがＹ２よりも大きくなる条件で、血圧測定処理を行い、第１変化量ΔＰａを算出する。また、この血圧測定処理と同時に、カフ測定も行う。次に、（Ｐｓ+ΔＰａ+β）の値が、カフ測定の測定値と一致するように、第１変化量ΔＰａがＹ２よりも大きいときの加算値βの値を決定する。
【００４８】
（２）第１実施形態において、血圧推定装置は、アーティファクトが存在するか否かを判断し、アーティファクトが存在する場合は、その他の場合よりも係数αを小さくしてもよい。こうすることにより、アーティファクトに起因する誤差の影響を抑制できる。アーティファクトが存在するか否かを判断する方法として、例えば、脈波信号に正常な特徴が現れていなければ、アーティファクトが存在すると判断し、脈波信号に正常な特徴が現れていれば、アーティファクトが存在しないと判断する方法がある。
【００４９】
第２実施形態において、血圧推定装置は、アーティファクトが存在するか否かを判断し、アーティファクトが存在する場合は、その他の場合よりも加算値βの絶対値を小さくしてもよい。こうすることにより、アーティファクトに起因する誤差の影響を抑制できる。
【００５０】
（３）第１実施形態において、第１変化量ΔＰａと係数αとの関係を規定する関数は、図１０Ａに示すものであってもよいし、図１０Ｂに示すものであってもよい。図１０Ａに示す関数では、係数αは、第１変化量ΔＰａの絶対値と比例して増加する。図１０Ｂに示す関数では、第１変化量ΔＰａの絶対値がＸ３以上の場合の係数αは、１より大きい固定値である。また、第１変化量ΔＰａの絶対値がＸ３未満である場合の係数αは、１である。なお、第１変化量ΔＰａの絶対値がＸ３未満である場合の係数αは、１より大きく、第１変化量ΔＰａの絶対値がＸ３以上の場合の係数αより小さい値であってもよい。
【００５１】
（４）第２実施形態において、第１変化量ΔＰａと加算値βとの関係を規定する関数は、図１１Ａに示すものであってもよいし、図１１Ｂに示すものであってもよい。図１１Ａに示す関数では、加算値βは、第１変化量ΔＰａと比例して増加する。図１１Ｂに示す関数では、第１変化量ΔＰａがＹ３以上の場合の加算値βは、固定値βｍａｘである。固定値βｍａｘは正の値である。また、第１変化量ΔＰａが−Ｙ３以上、Ｙ３未満である場合の加算値βは０である。また、第１変化量ΔＰａが−Ｙ３未満である場合の加算値βは、固定値−βｍａｘである。固定値−βｍａｘは負の値である。なお、第１変化量ΔＰａが−Ｙ３以上、Ｙ３未満である場合の加算値βは、−βｍａｘより大きく、βｍａｘより小さく、０以外の値であってもよい。
【００５２】
（５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００５３】
（６）上述した血圧推定装置の他、当該血圧推定装置を構成要素とするシステム、当該血圧推定装置としてコンピュータを機能させるためのプログラム、このプログラムを記録した半導体メモリ等の非遷移的実態的記録媒体、血圧推定方法等、種々の形態で本開示を実現することもできる。
【符号の説明】
【００５４】
１…血圧推定装置、３…ＣＰＵ、５…メモリ、７…カフ測定ユニット、９…生体信号取得ユニット、１１…第１血圧推定ユニット、１３…校正ユニット、１５…第１変化量算出ユニット、１７…補正ユニット、１９…第２血圧推定ユニット、２１…表示ユニット、２３…カフ測定装置、２５…脈波センサ、２７…記憶装置、２９…ディスプレイ
【図１】
2019118700.tif 000003
【図２】
2019118700.tif 000004
【図３】
2019118700.tif 000005
【図４】
2019118700.tif 000006
【図５】
2019118700.tif 000007
【図６】
2019118700.tif 000008
【図７】
2019118700.tif 000009
【図８】
2019118700.tif 000010
【図９】
2019118700.tif 000011
【図１０】
2019118700.tif 000012
【図１１】
2019118700.tif 000013